(57)【要約】      （修正有）【課題】  通常時においては免震機能の動作が停止されているが、一定以上の水平外力が生じた時に、停止が解除されて免震機能が動作するようにした。【解決手段】  通常時に於いて上蓋本体６に固定された固定部材４の内側に、内側部材３が収納されており、更に内側部材３の内側に昇降自在の昇降部材が収納され、昇降部材の下端に球体１が当接されており、球体１の下方はベース８の凹部８１にスプリング７を介して押圧されている。一定以上の水平外力が生じた時に、球体１がベース８の凹部８１を乗越えて上昇し、昇降部材を押し上げ、昇降部材のストッパー部材が内側部材３のＬ型部材に係止されて固定され、球体１がフリーの状態となり免震機能の動作が可能となるように構成した。【選択図】図３
2008267588.tif 000002
【特許請求の範囲】
【請求項１】
通常時に於いて上蓋本体に固定された固定部材の内側に、内側部材が収納されており、更に該内側部材の内側に昇降自在の昇降部材が収納され、該昇降部材の下端に球体が当接されており、該球体の下方はベースの凹部にスプリングを介して押圧されていることを特徴とする免震装置の制御機構。
【請求項２】
一定以上の水平外力が生じた時に、球体がベースの凹部を乗越えて上昇し、昇降部材を押し上げ、該昇降部材のストッパー部材が内部部材のＬ型部材に係止されて固定され、球体がフリーの状態となり免震機能の動作が可能となるように構成したことを特徴とする請求項１記載の免震装置の制御機構。
【請求項３】
内側部材より突出するリセット用回動部材を押し下げて回動させ、Ｌ型部材をストッパーから外し、球体を元の凹部へ当接し、免震装置を初期状態にリセットできるように構成したことを特徴とする請求項１記載の免震装置の制御機構。
【発明の詳細な説明】
【技術分野】
【０００１】  本発明は免震装置の制御機構に関し、特に通常時においては免震機能の動作が停止されているが、一定以上の水平外力が生じた時に、停止が解除されて免震機能が動作するようにした免震装置の制御機構に関するものである。
【背景技術】
【０００２】  従来、テレビ台、家具、冷蔵庫、サーバー台、設備什器等に設置してある免震装置においては、一定以下の水平外力が生じている場合では、特に免震機能を動作させる必要はなく、通常時の振動でも取付け物品の揺動が増幅される場合があるので、下記のような関連発明がなされている。【０００３】
【特許文献１】  特開平１０−３８０２１号公報
【特許文献２】  特開２００６−３６４７４号公報
【０００４】  前記の特開平１０−３８０２１号公報「免震システムのトリガー装置」では、建物を地盤に対して水平方向にスライドさせて地震力を吸収する免震システムを作動させるためのトリガー装置であって、一定以上の震動が加わったときに、建物の一部と地盤に設置された固定部材との、相対的な水平移動を規制するロック部材を移動又は落下させて水平移動の規制を解除するものであるから、本発明の機構とは異なるものである。【０００５】  前記の特開２００６−３６４７４号公報「移動式免震書架」は、ある程度の大きさの地震が発生した際に、ロック装置が解除されるレール移動式のものであり、本発明の機構とは異なるものである。
【発明の開示】
【発明が解決しようとする課題】
【０００６】  本発明が解決しようとする課題は、一定値以上の水平外力や人為的外力がかかるまでは免震機能を停止するものであり、一定以上の水平外力が生じた時に、停止が解除されて免震機能が動作するようにした免震装置の制御機構に関するものである。
【課題を解決するための手段】
【０００７】  本発明は、前記せるような従来の課題を解決するために鋭意研究の結果、発明されたものであり、通常時に於いて上蓋本体に固定された固定部材の内側に、内側部材が収納されており、更に該内側部材の内側に昇降自在の昇降部材が収納され、該昇降部材の下端に球体が当接されており、該球体の下方はベースの凹部にスプリングを介して押圧されていることを特徴とするものである。【０００８】  また、一定以上の水平外力が生じた時に、球体がベースの凹部を乗越えて上昇し、昇降部材を押し上げ、該昇降部材のストッパー部材が内部部材のＬ型部材に係止されて固定され、球体がフリーの状態となり免震機能の動作が可能となるように構成したことを特徴とし、且つ、内側部材より突出するリセット用回動部材を押し下げて回動させ、Ｌ型部材をストッパーから外し、球体を元の凹部へ当接し、免震装置を初期状態にリセットできるように構成したことを特徴とする免震装置の制御機構を提供する。
【発明の効果】
【０００９】  本発明は、以上説明したような構成であるので、免震装置の設置物に一定値以上の地震および人為的外力がかかるまで、免震装置の動作を停止し、地震時においては、震度４程度（人為的外力も同等値）の外力がかかると停止機構が解除されて免震動作が機能するようになるので、不必要なときに免震装置の設置物が容易に揺動することがない。
【発明を実施するための最良の形態】
【００１０】  以下、図面に基づいて、本発明を実施するための最良の形態を具体的に説明する。
図面に於いて図１は本発明に係る免震装置の制御機構の固定部材の平面図である。図２は図１のＡＡ線の断面図である。図３は本発明に係る免震装置の制御機構の設置状態の断面図である。図４は本発明に係る内側部材の正面図である。図５は図４の縦断面図である。図６は本発明に係る昇降部材の断面図である。図７は本発明に係る固定部材の斜視図である。【００１１】  図３に示すように、通常時に於いて、上蓋本体６には固定部材４がフランジ４１を介して強固に固定されており、該固定部材４の内側には、内側部材３が収納されており、また図４に示すように内側部材３の両サイドには凸条３２が一体的に形成されており、該凸条３２は、それぞれ図７に示す固定部材４の内側に形成されたスリット４２に嵌挿されている。【００１２】  図２乃至図３に示すように、蓋体５は固定部材４に強固にビス止めされ、固定部材４の内側に挿入される内側部材３を保持している。【００１３】  図１に示すように、スリット４２の幅は凸条３２の幅より大きく形成されており、後述するように内側部材３が回動する際は、凸条３２がスリット４２の幅内で回動するように規制されている。【００１４】  更に図２に示すように、該内側部材３の内側に昇降自在の昇降部材２が収納され、該昇降部材２の下端には球体１が当接されている。【００１５】  図６に示すように、昇降部材２の外周部には、先端にテーパー部２３を有する凸条２１が一体的に形成されており、図５に示すように、前記テーパー部２３に当接される凸条９が内側部材３の内側に一体的に形成されている。凸条９の先端部はテーパー部９１が形成されている。また、Ｌ型部材１０が内側部材３の内側に一体的に形成されている。【００１６】  図３に示すように、球体１の下方はベース８の凹部８１にスプリング７の押圧力を介して該球体１が押圧されている。【００１７】  一定以上の水平外力が生じた時に、球体１がベース８の凹部８１を乗越えて上昇し、昇降部材２を押し上げ、テーパー部２３とテーパー部９１とが当接され、該昇降部材２のストッパー部材２４が内部部材３のＬ型部材１０に係止されて固定され、球体１がフリーの状態となり免震機能の動作が可能となるように構成されている。【００１８】  リセットする場合は内側部材３と一体的に形成されて突出するリセット用回動部材３１を押し下げて回動させると、Ｌ型部材１０がストッパー２４から外れ、球体１を元の凹部８１へ当接させ、免震装置が初期状態にリセットされる。【００１９】    すなわち、突出するリセット用回動部材３１を押し下げるとＬ型部材１０はストッパー部材２４から離れ、更に内側部材３を回動させると、凸条３２がスリット４２の幅内で回動し、Ｌ型部材１０が確実にストッパー２４から外れ、球体１を元の凹部８１へスプリング７の付勢力で当接させ、免震装置が初期状態にリセットされる。
【産業上の利用可能性】
【００２０】  本発明の免震装置の制御機構によれば、不必要なときに免震装置の設置物が容易に揺動することがないので、通常の使用時には確実に固定されて免震装置の動作を停止し、地震時においては、震度４程度（人為的外力も同等値）の外力がかかると停止機構が解除されて免震動作が機能するようになるので、テレビ台、家具、冷蔵庫、サーバー台、設備什器等に設置する際に実用的な効果を有する。
【図面の簡単な説明】
【００２１】
【図１】  本発明に係る免震装置の制御機構の固定部材の平面図である。
【図２】  図１のＡＡ線の断面図である。
【図３】  本発明に係る免震装置の制御機構の設置状態の断面図である。
【図４】  本発明に係る内側部材の正面図である。
【図５】  図４の縦断面図である。
【図６】  本発明に係る昇降部材の断面図である。
【図７】  本発明に係る固定部材の斜視図である。
【符号の説明】
【００２２】１．球体
２．昇降部材
２１．凸条
２２．球体収納部
２３．テーパー部
２４．ストッパー部材
３．内側部材
３１．リセット用回動部材
３２．凸条
４．固定部材
４１．フランジ
４２．スリット
５．蓋体
６．上蓋本体
７．スプリング
８．ベース
８１．凹部
９．凸条
９１．テーパー部
１０．Ｌ型部材
【図１】
2008267588.tif 000003
【図２】
2008267588.tif 000004
【図３】
2008267588.tif 000005
【図４】
2008267588.tif 000006
【図５】
2008267588.tif 000007
【図６】
2008267588.tif 000008
【図７】
2008267588.tif 000009